【事件の表示】
　特許第３０３５０２８号「弾球遊技機」の請求項１に係る特許に対する特許異議の申立てについて、次のとおり決定する。
【結　論】
　特許第３０３５０２８号の請求項１に係る特許を維持する。
【理　由】
１．本件特許の請求項１に係る発明
　特許第３０３５０２８号（平成３年１０月３１日出願、平成１２年２月１８日設定登録）の請求項１に係る発明（以下「本件発明」という）は、特許請求の範囲の請求項１に記載された下記のとおりのものである。
「【請求項１】表示状態が変化可能な特別可変表示装置を有し、該特別可変表示装置の表示結果が予め定められた特定の表示態様になった場合に所定の遊技価値が付与可能な状態となる弾球遊技機であって、
　複数種類の識別情報を可変表示可能な普通可変表示装置と、
　打玉が打込まれる遊技領域に設けられ、遊技者にとって有利となる第１の状態と遊技者にとって不利となる第２の状態とに変化可能な普通可変入賞球装置と、
　前記普通可変表示装置の表示結果が予め定められた特定の識別情報になった場合に前記普通可変入賞球装置を第１の状態に駆動制御する駆動制御手段と、
　前記普通可変入賞球装置への入賞に応じて前記特別可変表示装置の表示結果を導出させる表示結果導出制御を実行可能な特別可変表示制御手段と、
　予め定められた制御条件の成立に基づいて、前記普通可変入賞球装置が前記第１の状態になりやすい動作状態に制御する状態制御手段とを含み、
　前記特別可変表示制御手段は、実行されるべき前記表示結果導出制御が未だに行なわれていない入賞の数が所定数以上になった場合に、前記表示結果導出制御が行なわれる時間を短縮可能な制御時間短縮手段を含むことを特徴とする、弾球遊技機。」
　
２．申立ての概要
　申立人今戸晴美は、証拠として甲第１号証（特願平３−１８１９５３号）を提出し、本件発明についての特許は特許法第２９条の２の規定に違反してなされたものであるから、申立人小室豊は、証拠として甲第１号証（特願平３−１９０７４３号）及び甲第２号証（特開平３−２３７９８９号公報）を提出し、本件発明についての特許は特許法第２９条の２の規定に違反してなされたものであるから、本件発明についての特許を取り消すべき旨主張している。
　
３．申立人が提出した各甲号証記載の発明
（１）申立人今戸晴美が提出した甲第１号証（特願平３−１８１９５３号）の願書に最初に添付した明細書又は図面には以下の発明が記載されている。
「この遊技領域２の中央には停止図柄の態様により大当りの遊技（特別遊技）の権利を発生させる第１の可変表示ゲームとしての可変表示ゲームを行なう第１の可変表示部としての可変表示部２１を備えた可変表示装置２０が設置されている。」（明細書段落【０００７】）
「前記可変表示部２１は縦に３分割されて、このように分割された各々の領域に、左から順に左図柄表示部２２、中図柄表示部２３、右図柄表示部２４が夫々設けられている。・・・後述する第１の特定入賞部としての始動入賞口４，５，６のいずれかに遊技球が入賞することを条件に、本パチンコ遊技機の制御システムにより左図柄表示部２２に「１，２，３，４，５，６，７，８，９，０，Ｊ，Ｑ，Ｋ，Ａ，Ｐ，」の１５個の図柄がこの順序で、遊技者がトランプのカードをめくるような変動の態様で、所定時間の間、表示が変化される。中図柄表示部２３と右図柄表示部２４も左図柄表示部２２と同様に変化されるようになっている。」（明細書段落【０００８】）
「前記変動入賞装置５０の左側斜め上方位置には第２の入賞部としての補助変動入賞装置７０が設置されている。該補助変動入賞装置７０は、特定の条件のもとに遊技球を入賞させ易い状態に電動式に変換されるものである。この実施例では補助変動入賞装置７０の直下に設置された第２の特定入賞部としての特定入賞口９に遊技球が入賞した場合に開始される第２の可変表示ゲームとしての補助可変表示ゲームの特定の結果の発生を条件に、前記補助変動入賞装置７０の可動部７１０，７１０が逆「ハ」の字状に回動変換されて遊技球を始動入賞口４中に入賞させ易い状態にされるようになっている。そして前記特定入賞口９には第２の可変表示部としての補助図柄可変表示部１００ａを備えた補助可変表示装置１００が設けられている。」（明細書段落【００１３】）
「該補助可変表示装置１００は前記補助図柄可変表示部１００ａを可変表示させて補助可変表示ゲームを行うものである。補助可変表示ゲームは前記補助図柄可変表示部１００ａの停止態様が当たりか否かを任意の確率によって決定し、当たりとなったときに遊技者に賞球獲得のチャンスを与えるものである。この実施例では当りの確率を決定する乱数が複数設けられており、可変表示ゲームで大当りが発生し特別遊技が終了した時点で当り確率が遊技者に不利な確率のものから有利な確率を決定する乱数に変更されるようになっている。」（明細書段落【００１４】）
「最初の特別遊技が終了してから再び大当りが発生するまでの、遊技者に有利な確率のもとでゲームを行う特別予備遊技状態中に遊技者が左打ちを行った結果、前記特定入賞口９へ遊技球が入賞した場合には、補助可変表示ゲームが開始される。」（明細書段落【００４６】）
「前記特別予備遊技状態での可変表示ゲームの制御内容は先述した可変表示ゲームの制御内容と略同一であるが、前記可変表示部２１の作動時間が短縮されるように制御されている点が異なる。これは特別遊技が終了した後は補助可変表示ゲームにおいて当り確率が高くなったことにより可変表示ゲームを行う可変表示部２１がより多く作動されることになるので、前記可変表示部２１の作動時間を短縮させ、始動入賞口４への入賞記憶がオーバーフローすることを防止し、前記可変表示部２１の作動回数を増加させて早期に連続して大当りを発生させるためである。」（明細書段落【００４７】）
「具体的には、最初の特別遊技が開始されるまでの可変表示ゲームでは、一律に前記可変表示部２１が作動してから約５秒以上経過した後に左図柄表示部２２、中図柄表示部２３、右図柄表示部２４の順に停止するが、特別予備遊技状態では前記可変表示部２１が作動してから約１秒以上経過した時点で各表示部２２，２３，２４が順次停止する。」（明細書段落【００４８】）
「特別予備遊技状態で大当りが発生し、連続して特別遊技が開始された時点で、可変表示ゲームでの当り確率は遊技者に不利な確率に復帰され、また補助可変表示ゲームの当り確率も遊技者に不利な確率に復帰されるとともに、前記可変表示部２１の作動時間も約５秒以上に復帰される。」（明細書段落【００４９】）
（２）申立人小村豊が提出した甲第１号証（特願平３−１９０７４３号）の願書に最初に添付した明細書又は図面には以下の発明が記載されている。
「【請求項１】遊技盤面に設けた始動入賞口に入賞した始動入賞球数を表示する始動球数表示器と、
　前記始動入賞口の入賞に基いて所定の変動表示時間だけ複数種の識別情報を変動表示させ該変動表示の停止に基いていずれかの識別情報を所定の停止表示時間だけ停止表示する可変表示装置と、
　該可変表示装置に停止表示される停止識別情報を前記複数種の識別情報のいずれかの中から決定する識別情報決定回路と、
　該識別情報決定回路に決定された停止識別情報が予め定められた特定識別情報である場合に遊技者に有利な権利を発生させる可変入賞球装置とを設けたパチンコ機において、
　前記始動球数表示器に表示された始動入賞球数を算出する始動球数算出回路と、
　前記始動球数算出回路に算出された始動入賞球数に応じて所定の変動表示時間を設定し、前記変動表示を停止するための停止表示信号を前記可変表示装置に出力する表示タイマ回路とを設けたことを特徴とするパチンコ機。
【請求項２】前記表示タイマ回路に設定される変動表示時間は前記始動球数表示器に表示された始動入賞球数の増加に応じて短縮され始動入賞球数の減少に応じて伸長されることを特徴とする請求項１に記載のパチンコ機。」（特許請求の範囲）
　そして、申立人小室豊が提出した甲第２号証（特開平３−２３７９８９号公報）には以下の発明が記載されている。
「（２）副作動口への入球により、副図柄表示装置の図柄変動を開始し、副図柄表示装置が所定の確率で当りを出したとき主作動口役物を開動作させ、主作動口役物に入球したとき主図柄表示装置に図柄変動を開始させ、主図柄変動表示装置が所定の確率で大当りを出したとき大当り役物を作動させるようにした弾球遊技機において、副図柄表示装置の当り確率を高低二段階に設定し、通常は低い当り確率で動作させ、弾球さされた球による遊技機の動作状態が所定期間連続して出玉率を低下させるものとなったとき、一時的に副図柄表示装置を高い当り確率で動作させることを特徴とする弾球遊技機。」（特許請求の範囲）
　
４．対比・判断
（１）申立人今戸晴美が提出した甲第１号証（特願平３−１８１９５３号）の願書に最初に添付した明細書又は図面に記載された発明について
　本件発明と上記甲第１号証の願書に最初に添付した明細書又は図面に記載された発明（以下「今戸甲第１号証発明」という）を比較すると、今戸甲第１号証発明における「可変表示装置」、「補助可変表示装置」及び「補助変動入賞装置」は、各々本件発明における「特別可変表示装置」、「普通可変表示装置」及び「普通可変入賞球装置」に相当する。
　今戸甲第１号証発明は、「補助可変表示ゲームの特定の結果の発生を条件に、補助変動入賞装置の可動部が逆「ハ」の字状に回動変換されて遊技球を始動入賞口中に入賞させ易い状態にされ」、「始動入賞口のいずれかに遊技球が入賞することを条件に、本パチンコ遊技機の制御システムにより左図柄表示部に「１，２，３，４，５，６，７，８，９，０，Ｊ，Ｑ，Ｋ，Ａ，Ｐ，」の１５個の図柄がこの順序で、遊技者がトランプのカードをめくるような変動の態様で、所定時間の間、表示が変化される。中図柄表示部と右図柄表示部も左図柄表示部と同様に変化され」かつ「補助可変表示ゲームの当りの確率を決定する乱数が複数設けられており、可変表示ゲームで大当りが発生し特別遊技が終了した時点で当り確率が遊技者に不利な確率のものから有利な確率を決定する乱数に変更されるようになっている」から、同発明が各々本件発明における「駆動制御手段」、「特別可変表示制御手段」及び「状態制御手段」に相当するものを有しているのは明らかである。
　さらに、今戸甲第１号証発明における「可変表示部の作動時間が短縮されるように制御されている」ことは、本件発明における「表示結果導出制御が行なわれる時間を短縮可能な制御時間短縮手段」に相当するから、本件発明と今戸甲第１号証発明は、「表示状態が変化可能な特別可変表示装置を有し、該特別可変表示装置の表示結果が予め定められた特定の表示態様になった場合に所定の遊技価値が付与可能な状態となる弾球遊技機であって、複数種類の識別情報を可変表示可能な普通可変表示装置と、打玉が打込まれる遊技領域に設けられ、遊技者にとって有利となる第１の状態と遊技者にとって不利となる第２の状態とに変化可能な普通可変入賞球装置と、前記普通可変表示装置の表示結果が予め定められた特定の識別情報になった場合に前記普通可変入賞球装置を第１の状態に駆動制御する駆動制御手段と、前記普通可変入賞球装置への入賞に応じて前記特別可変表示装置の表示結果を導出させる表示結果導出制御を実行可能な特別可変表示制御手段と、予め定められた制御条件の成立に基づいて、前記普通可変入賞球装置が前記第１の状態になりやすい動作状態に制御する状態制御手段とを含み、前記特別可変表示制御手段は、前記表示結果導出制御が行なわれる時間を短縮可能な制御時間短縮手段を含むことを特徴とする、弾球遊技機。」である点で一致し、本件発明においては、該制御時間短縮手段が実行されるべき表示結果導出制御が未だに行なわれていない入賞の数が所定数以上になった場合に表示結果導出制御が行なわれる時間を短縮可能であるのに対し、今戸甲第１号証発明においては特別予備遊技状態において短縮可能である点で相違する。
　そして、実行されるべき表示結果導出制御が未だに行なわれていない入賞の数が所定数以上になった場合に表示結果導出制御が行なわれる時間を短縮可能とする点が本件の出願時において周知であったと認めるに足る証拠は見出せない。
　したがって、本件発明と今戸甲第１号証発明は同一ではない。
（２）申立人小室豊が提出した甲第１号証（特願平３−１９０７４３号）の願書に最初に添付した明細書又は図面に記載された発明について
　本件発明と申立人小室豊が提出した甲第１号証（特願平３−１９０７４３号）の願書に最初に添付した明細書又は図面に記載された発明（以下「小室甲第１号証発明」という）を比較すると、小室甲第１号証発明の「可変表示装置」及び「表示タイマ回路」は、各々本件発明における「特別可変表示装置」及び「制御時間短縮手段」に相当する。
　さらに小室甲第１号証発明の上記可変表示装置は「始動入賞口の入賞に基いて所定の変動表示時間だけ複数種の識別情報を変動表示させ該変動表示の停止に基いていずれかの識別情報を所定の停止表示時間だけ停止表示する」から、同発明が本件発明の「特別可変表示制御手段」に相当するものを有しているのは明らかであるので、本件発明と小室甲第１号証発明は、「表示状態が変化可能な特別可変表示装置を有し、該特別可変表示装置の表示結果が予め定められた特定の表示態様になった場合に所定の遊技価値が付与可能な状態となる弾球遊技機であって、入賞球装置への入賞に応じて前記特別可変表示装置の表示結果を導出させる表示結果導出制御を実行可能な特別可変表示制御手段と、前記特別可変表示制御手段は、実行されるべき前記表示結果導出制御が未だに行なわれていない入賞の数が所定数以上になった場合に、前記表示結果導出制御が行なわれる時間を短縮可能な制御時間短縮手段を含むことを特徴とする、弾球遊技機。」である点で一致し、本件発明が「普通可変表示措置」、「普通可変入賞球装置」、「駆動制御手段」及び「状態制御手段」を有するのに対し、小室甲第１号証発明は当該手段を有していない点で相違する。
　上記相違点について申立人小室豊は、甲第２号証（特開平３−２３７９８９号公報（以下「小室甲第２号証」という））を提出し、本件発明の「普通可変表示装置」、「普通可変入賞球装置」、「駆動制御手段」及び「状態制御手段」は周知技術であって、本件発明は、小室甲第１号証発明に該周知技術を付加したものであり、小室甲第１号証発明と実質的に同一である旨を主張している。
　しかしながら、本件の明細書を参照するに、本件発明は、表示状態が変化可能な特別可変表示装置を有し、該特別可変表示装置の表示結果が予め定められた特定の表示態様になった場合に所定の遊技価値が付与可能な状態となる弾球遊技機であって、複数種類の識別情報を可変表示可能な普通可変表示装置と、打玉が打込まれる遊技領域に設けられ、遊技者にとって有利となる第１の状態と遊技者にとって不利となる第２の状態とに変化可能な普通可変入賞球装置と、前記普通可変表示装置の表示結果が予め定められた特定の識別情報になった場合に前記普通可変入賞球装置を第１の状態に駆動制御する駆動制御手段と、前記普通可変入賞球装置への入賞に応じて前記特別可変表示装置の表示結果を導出させる表示結果導出制御を実行可能な特別可変表示制御手段と、予め定められた制御条件の成立に基づいて、前記普通可変入賞球装置が前記第１の状態になりやすい動作状態に制御する状態制御手段とを含む弾球遊技機を前提として、当該弾球遊技機に実行されるべき表示結果導出制御が未だに行なわれていない入賞の数が所定数以上になった場合に、表示結果導出制御が行なわれる時間を短縮可能な制御時間短縮手段を付加したものであって、これによって打玉の上記普通可変入賞球装置への入賞確率が向上した場合においても、上記表示結果導出制御が行なわれる時間が短縮制御されるために、効率よく可変表示され、始動入賞玉個数の増加に比べて上記特別可変表示装置の表示結果の導出制御が間に合わなくなる不都合が防止できるという顕著な効果を奏するものである。してみれば、仮に申立人小室豊が主張するように「普通可変表示装置」、「普通可変入賞球装置」、「駆動制御手段」及び「状態制御手段」が本件の出願時に周知技術であったとしても、本件発明は、小室甲第１号証発明に「普通可変表示装置」、「普通可変入賞球装置」、「駆動制御手段」及び「状態制御手段」を単に付加したものとはいえず、小室甲第１号証発明と実質的に同一であるとはいえない。
　したがって、本件発明と小室甲第１号証発明は同一でない。
　
５．むすび
　以上のとおりであるから、特許異議申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年５月７日（２００１．５．７）